(57)【要約】【課題】マクロセルと重複してスモールセルが配置される無線通信システムにおいて、スモールセル間において干渉をランダム化すること。【解決手段】本発明の無線通信方法は、スモールセルを形成するスモール基地局において、第１端末固有識別子と第２端末固有識別子とに基づいて構成される端末固有識別子を用いて、下り信号を生成する工程と、ユーザ端末に対して、前記下り信号を送信する工程と、前記ユーザ端末において、前記端末固有識別子を用いて、上り信号を生成する工程と、前記スモール基地局に対して、前記上り信号を送信する工程と、を有する。【選択図】図３
2014204306.tif 000002
【特許請求の範囲】
【請求項１】
マクロセルと重複してスモールセルが配置される無線通信システムにおいて、前記スモールセルを形成する無線基地局であって、
第１端末固有識別子と第２端末固有識別子とに基づいて構成される端末固有識別子を用いて、下り信号を生成する生成部と、
ユーザ端末に対して、前記下り信号を送信する送信部と、
を具備することを特徴とする無線基地局。
【請求項２】
前記端末固有識別子は、前記マクロセルを形成するマクロ基地局から前記ユーザ端末に対して通知されることを特徴とする請求項１に記載の無線基地局。
【請求項３】
前記端末固有識別子は、前記無線基地局から前記ユーザ端末に対して通知される、又は前記無線基地局から送信される検出用信号に関連づけられることを特徴とする請求項１に記載の無線基地局。
【請求項４】
前記第１端末固有識別子は、前記マクロセルを形成するマクロ基地局から前記ユーザ端末に対して通知され、
前記第２端末固有識別子は、前記無線基地局から送信される検出用信号に関連づけられることを特徴とする請求項１に記載の無線基地局。
【請求項５】
前記第１端末固有識別子は、前記マクロセルを形成するマクロ基地局から前記ユーザ端末に対して通知され、
前記第２端末固有識別子は、前記マクロセルのセル識別子に関連づけられることを特徴とする請求項１に記載の無線基地局。
【請求項６】
前記第１端末固有識別子と前記第２端末固有識別子とに基づいて前記端末固有識別子を構成するか否かは、前記スモールセルにおける送信モード及び／又はキャリアタイプによって、決定されることを特徴とする請求項１から請求項５のいずれかに記載の無線基地局。
【請求項７】
前記下り信号は、チャネル状態測定用参照信号（ＣＳＩ−ＲＳ）であり、
ホッピングパターンに基づいてホッピングされる配置リソースに、前記ＣＳＩ−ＲＳをマッピングするマッピング部を更に具備し、
前記ホッピングパターンは、時間に基づく関数によって定められることを特徴とする請求項１から請求項６のいずれかに記載の無線基地局。
【請求項８】
前記下り信号は、拡張物理下り制御チャネル（ＥＰＤＣＣＨ）による送信信号であり、
ホッピングパターンに基づいてホッピングされる配置リソースに、前記送信信号をマッピングするマッピング部を更に具備し、
前記ホッピングパターンは、時間に基づく関数によって定められることを特徴とする請求項１から請求項７のいずれかに記載の無線基地局。
【請求項９】
マクロセルと重複してスモールセルが配置される無線通信システムにおいて用いられるユーザ端末であって、
第１端末固有識別子と第２端末固有識別子とに基づいて構成される端末固有識別子を用いて、上り信号を生成する生成部と、
前記スモールセルを形成するスモール基地局に対して、前記上り信号を送信する送信部と、
を具備することを特徴とするユーザ端末。
【請求項１０】
マクロセルと重複してスモールセルが配置される無線通信システムにおいて用いられる無線通信方法であって、
前記スモールセルを形成するスモール基地局において、第１端末固有識別子と第２端末固有識別子とに基づいて構成される端末固有識別子を用いて、下り信号を生成する工程と、ユーザ端末に対して、前記下り信号を送信する工程と、
前記ユーザ端末において、前記端末固有識別子を用いて、上り信号を生成する工程と、前記スモール基地局に対して、前記上り信号を送信する工程と、
を有することを特徴とする無線通信方法。
【発明の詳細な説明】
【技術分野】
【０００１】
本発明は、次世代移動通信システムにおける無線基地局、ユーザ端末及び無線通信方法に関する。
【背景技術】
【０００２】
ＬＴＥ（Long  Term  Evolution）やＬＴＥの後継システム（例えば、ＬＴＥアドバンスト、ＦＲＡ（Future  Radio  Access）、４Ｇなどともいう）では、半径数百メートルから数キロメートル程度の相対的に大きいカバレッジを有するマクロセルと重複して、半径数メートルから数十メートル程度の相対的に小さいカバレッジ有するスモールセル（ピコセル、フェムトセルなどを含む）が配置される無線通信システム（例えば、ＨｅｔＮｅｔ（Heterogeneous  Network）ともいう）が検討されている（例えば、非特許文献１）。
【０００３】
かかる無線通信システムでは、マクロセルとスモールセルとの双方で同一の周波数帯を用いるシナリオ（例えば、co-channelともいう）や、マクロセルとスモールセルとで異なる周波数帯を用いるシナリオ（例えば、separate  frequencyともいう）が検討されている。具体的には、後者のシナリオでは、マクロセルにおいて相対的に低い周波数帯（例えば、２ＧＨｚ）を用い、スモールセルにおいて相対的に高い周波数帯（例えば、３．５ＧＨｚや１０ＧＨｚ）を用いることも検討されている。
【先行技術文献】
【非特許文献】
【０００４】
【非特許文献１】3GPP  TR  36.814“E-UTRA  Further  advancements  for  E-UTRA  physical  layer  aspects”
【発明の概要】
【発明が解決しようとする課題】
【０００５】
ところで、ＬＴＥやＬＴＥの後継システムでは、セル毎に異なるセルＩＤ（セル識別子）を用いて信号（物理チャネルによる送信信号や参照信号など）が生成される。このため、セル間の干渉をランダム化（inter-cell  interference  randomization）することができる。
【０００６】
しかしながら、マクロセルと重複してスモールセルが配置される無線通信システムにおいて、各スモールセルにセルＩＤを割り当てようとすると、セルＩＤの不足により、スモールセル間でセルＩＤが衝突することが想定される。かかる場合、スモールセル間の干渉をランダム化できない恐れがある。
【０００７】
本発明は、かかる点に鑑みてなされたものであり、マクロセルと重複してスモールセルが配置される無線通信システムにおいて、スモールセル間の干渉をランダム化することが可能な無線基地局、ユーザ端末及び無線通信方法を提供することを目的とする。
【課題を解決するための手段】
【０００８】
本発明に係る無線通信方法は、マクロセルと重複してスモールセルが配置される無線通信システムにおいて用いられる無線通信方法であって、前記スモールセルを形成するスモール基地局において、第１端末固有識別子と第２端末固有識別子とに基づいて構成される端末固有識別子を用いて、下り信号を生成する工程と、ユーザ端末に対して、前記下り信号を送信する工程と、前記ユーザ端末において、前記端末固有識別子を用いて、上り信号を生成する工程と、前記スモール基地局に対して、前記上り信号を送信する工程と、を有することを特徴とする。
【発明の効果】
【０００９】
本発明によれば、マクロセルと重複してスモールセルが配置される無線通信システムにおいて、スモールセル間において干渉をランダム化することが可能な無線基地局、ユーザ端末及び無線通信方法を提供できる。
【図面の簡単な説明】
【００１０】
【図１】マクロセルと重複してスモールセルが配置される無線通信システムの概念図である。
【図２】セルプラニングを容易化する無線通信システムの説明図である。
【図３】本発明の第１態様に係るＵＳＩＤの説明図である。
【図４】本発明の第１態様に係るＵＳＩＤの第１通知例を示すシーケンス図である。
【図５】本発明の第１態様に係るＵＳＩＤの第２通知例を示すシーケンス図である。
【図６】本発明の第１態様に係るＵＳＩＤの第３通知例を示すシーケンス図である。
【図７】本発明の第１態様に係るＵＳＩＤの第４通知例を示すシーケンス図である。
【図８】本発明の第２態様に係るＣＳＩ−ＲＳのホッピングパターンの説明図である。
【図９】ＥＰＤＣＣＨリソースの説明図である。
【図１０】本発明の第３態様に係るＥＰＤＣＣＨリソースのホッピングパターンの説明図である。
【図１１】本実施の形態に係る無線通信システムの一例を示す概略図である。
【図１２】本実施の形態に係る無線基地局の全体構成の説明図である。
【図１３】本実施の形態に係るユーザ端末の全体構成の説明図である。
【図１４】本実施の形態に係るマクロ基地局の機能構成の説明図である。
【図１５】本実施の形態に係るスモール基地局の機能構成の説明図である。
【図１６】本実施の形態に係るユーザ端末の機能構成の説明図である。
【図１７】本発明の第１態様に係る第３通知例の説明図である。
【発明を実施するための形態】
【００１１】
図１は、マクロセルと重複してスモールセルが配置される無線通信システムの概念図である。図１に示す無線通信システムでは、例えば、２ＧＨｚ、８００ＭＨｚなどの相対的に低い周波数（キャリア）Ｆ１が用いられるマクロセルＭと、例えば、３．５ＧＨｚ、１０ＧＨｚなどの相対的に高い周波数（キャリア）Ｆ２が用いられるスモールセルＳとが地理的に重複して配置される（separate  frequency）。なお、図示しないが、マクロセルＭとスモールセルＳとで同一の周波数帯が用いられてもよい。
【００１２】
図１に示す無線通信システムは、マクロセルＭを形成する無線基地局（以下、マクロ基地局という）ＭｅＮＢと、スモールセルＳを形成する無線基地局（以下、スモール基地局という）ＳｅＮＢと、マクロ基地局ＭｅＮＢとスモール基地局ＳｅＮＢと通信するユーザ端末ＵＥとを含んで構成される。
【００１３】
また、図１に示すように、マクロ基地局ＭｅＮＢ（マクロセルＭ）とスモール基地局ＳｅＮＢ（スモールセルＳ）とは、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよい。また、スモール基地局ＳｅＮＢ（スモールセルＳ）間も、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよい。
【００１４】
また、図１に示す無線通信システムでは、キャリアアグリゲーション（ＣＡ）が行われる。キャリアアグリゲーションとは、複数のコンポーネントキャリア（ＣＣ、単に、キャリアともいう）を統合して広帯域を図ることをいう。各ＣＣは、最大２０ＭＨｚの帯域幅を有し、例えば、最大５つのＣＣを統合する場合、最大１００ＭＨｚの広帯域が実現される。
【００１５】
具体的には、図１に示す無線通信システムでは、マクロセルＭのＣＣと少なくとも一つスモールセルＳのＣＣとを統合するシナリオが想定される。なお、マクロセルＭのＣＣ及びスモールセルＳのＣＣは、それぞれ、プライマリＣＣ（ＰＣＣ）、セカンダリＣＣ（ＳＣＣ）と呼ばれてもよい。また、マクロセルＭ及びスモールセルＳは、それぞれ、プライマリセル（Ｐセル）、セカンダリセル（Ｓセル）と呼ばれてもよい。
【００１６】
また、図１に示す無線通信システムでは、スモールセルＳにおいて、新キャリアタイプ（ＮＣＴ：New  Carrier  Type）を用いることができる。ＮＣＴとは、サブフレームの先頭最大３ＯＦＤＭシンボルにおいて、物理下り制御チャネル（ＰＤＣＣＨ）が配置されないキャリアである。ＮＣＴが用いられる場合、スモールセルＳでは、物理下り共有チャネル（ＰＤＳＣＨ）と周波数分割多重される拡張物理下り制御チャネル（ＥＰＤＣＣＨ）を用いて、下り制御情報（ＤＣＩ）が送信されてもよい。
【００１７】
ところで、図１に示す無線通信システムにおいて、マクロセルＭに加えて各スモールセルＳにセルＩＤ（セル識別子）を割り当てる場合、スモールセルＳ間でセルＩＤが衝突し、スモールセルＳ間の干渉をランダム化できない恐れがある。ここで、セルＩＤは、５０４個の異なる系列であり、固定的にセルに割り当てられる。セルＩＤは、物理レイヤセルＩＤ（ＰＣＩ：Physical  layer  Cell  Identity）などと呼ばれもよい。この５０４個しかないセルＩＤの衝突を防ごうとすると、スモールセルＳのセルプラニングが複雑化する。
【００１８】
そこで、図２に示すように、マクロセルＭにおける通信にセルＩＤを利用する一方で、スモールセルＳにおける通信にＵＳＩＤ（UE-specific  Identity）を利用することが検討されている。ここで、ＵＳＩＤは、ユーザ端末ＵＥに固有の系列であり、仮想セルＩＤ（Virtual  Cell  Identity）などとも呼ばれる。このＵＳＩＤをスモールセルＳにおける通信に利用する場合、セルＩＤを利用する場合と比較してＩＤの衝突率を軽減できる。
【００１９】
具体的には、セルＩＤは、スモールセルＳに固定的に割り当てられるため、セルプラニングに失敗すると、隣接スモールセルＳ間でセルＩＤが衝突し続けることになる。一方、ＵＳＩＤは、ユーザ端末ＵＥ毎に異なるため、隣接スモールセルＳ間におけるＵＳＩＤの衝突は、確率的となる。このため、スモールセルＳにおける通信にＵＳＩＤを利用する場合、ＩＤの衝突率を軽減でき、スモールセルＳ間のセルプラニングを簡易化できる。
【００２０】
一方で、リリース１１（Ｒｅｌ−１１）で規定されるＵＳＩＤは、５０４個である。図２に示すように、スモールセルＳが密に配置される場合、隣接スモールセルＳ内に、５０４個以上のユーザ端末ＵＥが接続することも想定される。かかる場合、隣接スモールセルＳに位置するユーザ端末ＵＥ間でＵＳＩＤが衝突し、スモールセルＳ間の干渉を十分にランダム化できない恐れがある。
【００２１】
そこで、本発明者らは、マクロセルＭに重複してスモールセルＳが密に配置される無線通信システムにおいて、ＵＳＩＤを用いてスモールセルＳにおける上り／下り信号が生成される場合に、スモールセルＳ間の干渉を十分にランダム化できる無線通信方法を検討し、本発明に至った。
【００２２】
本発明に係る無線通信方法では、スモール基地局ＳｅＮＢが、第１ＵＳＩＤと第２ＵＳＩＤとに基づいて構成されるＵＳＩＤを用いて下り信号を生成し、ユーザ端末ＵＥに対して当該下り信号を送信する。ユーザ端末ＵＥは、第１ＵＳＩＤと第２ＵＳＩＤとに基づいて構成されるＵＳＩＤを用いて上り信号を生成し、スモール基地局ＳｅＮＢに対して当該上り信号を送信する。
【００２３】
ここで、下り信号は、物理下りチャネルによる送信信号や下り参照信号などを含む。物理下りチャネルは、例えば、上述のＰＤＳＣＨやＥＰＤＣＣＨなどであるが、これに限られない。また、下り参照信号は、例えば、ＰＤＳＣＨに関連づけられる端末固有参照信号（ＵＥ−Specific  Reference  Signal、ＤＭ−ＲＳ（Demodulation−Reference  Signal）ともいう）や、ＥＰＤＣＣＨに関連づけられる復調用参照信号（ＤＭ−ＲＳ（Demodulation−Reference  Signal））、チャネル状態測定用参照信号（ＣＳＩ−ＲＳ：Channel  State  Information−Reference  Signal）や、スモールセルＳの検出用信号（ＤＳ：Discovery  Signal）などであるが、これに限られない。
【００２４】
また、上り信号は、物理上りチャネルによる送信信号や上り参照信号などを含む。物理上りチャネルは、例えば、物理上り共有チャネル（ＰＵＳＣＨ）や、物理上り制御チャネル（ＰＵＣＣＨ）、物理ランダムアクセスチャネル（ＰＲＡＣＨ）などであるが、これに限られない。また、上り参照信号は、例えば、ＰＵＳＣＨ又はＰＵＣＣＨ用の復調用参照信号（ＤＭ−ＲＳ：Demodulation−Reference  Signal）や、ＳＲＳ（Sounding  Reference  Signal）などであるが、これに限られない。
【００２５】
本発明に係る無線通信方法によれば、スモールセルＳにおいて、第１ＵＳＩＤと第２ＵＳＩＤとに基づいて構成されるＵＳＩＤを用いて下り／上り信号が生成される。このため、隣接スモールセルＳに位置するユーザ端末ＵＥ間におけるＵＳＩＤの衝突を防止でき、スモールセルＳ間の干渉を十分にランダム化できる。
【００２６】
（第１態様）
図３−図７を参照し、本発明の第１態様に係る無線通信方法を説明する。第１態様に係る無線通信方法では、第１ＵＳＩＤ（第１端末固有識別子）と第２ＵＳＩＤ（第２端末固有識別子）とに基づいて構成されるＵＳＩＤ（端末固有識別子）を用いて、下り／上り信号が生成される。
【００２７】
（ＵＳＩＤ）
図３は、第１態様に係る無線通信方法で用いられるＵＳＩＤの説明図である。図３に示すように、ＵＳＩＤは、第１ＵＳＩＤと第２ＵＳＩＤとに基づいて構成される。第１ＵＳＩＤは、ユーザ端末ＵＥに固有の系列であり、例えば、リリース１１の５０４個の系列が用いられる。また、第２ＵＳＩＤは、Ｘ個（Ｘ＜５０４、又は、Ｘ＝５０４、又は、Ｘ＞５０４）の系列である。第２ＵＳＩＤは、ユーザ端末ＵＥに固有の系列に限られず、第１ＵＳＩＤとの演算結果がユーザ端末ＵＥに固有の系列となればよい。
【００２８】
図３Ａに示すように、下り／上り信号の生成に用いられるＵＳＩＤは、第１ＵＳＩＤと第２ＵＳＩＤを乗算（二重拡散）して構成される。これにより、ＵＳＩＤの系列数を５０４・Ｘ（Ｘ＜５０４、又は、Ｘ＝５０４、又は、Ｘ＞５０４）個に増加させることができる。
【００２９】
なお、第１ＵＳＩＤと第２ＵＳＩＤとの演算方法は、乗算に限られるものではない。第１ＵＳＩＤと第２ＵＳＩＤとの演算により構成されるＵＳＩＤの系列数が、リリース１１の５０４個よりも多くなれば、加算などでもよい。また、所定のパラメータなどが演算に用いられてもよい。
【００３０】
また、ＵＳＩＤは、第２ＵＳＩＤを「０」に設定する場合、リリース１１のＵＳＩＤと一致するように構成されてもよい。かかる場合、ＵＳＩＤは、例えば、以下の（式１）で構成される。
（式１）
ＵＳＩＤ＝第１ＵＳＩＤ＋第２ＵＳＩＤ×第１のＵＳＩＤ数（５０４）
【００３１】
また、図３Ｂに示すように、第１ＵＳＩＤは、各下り／上り信号で独立に適用されてもよい。一方、第２ＵＳＩＤは、各下り／上り信号に共通に適用されてもよいし、グループ毎（例えば、下り／上りでグループ化）に共通に適用されてもよい。
【００３２】
例えば、図３Ｂにおいて、チャネル／信号＃Ａは、下り信号（例えば、ＥＰＤＣＣＨによる送信信号）であり、チャネル／信号＃Ｂは、他の下り信号（例えば、ＣＳＩ−ＲＳ）であり、チャネル／信号＃Ａは、上り信号（例えば、ＤＭ−ＲＳ）であるものとする。かかる場合、複数の（異なる）チャネル／信号＃Ａ、＃Ｂ、＃Ｃに対して、５０４個の第１ＵＳＩＤの中からそれぞれ異なる第１ＵＳＩＤ＃Ａ、＃Ｂ、＃Ｃが選択されて適用される。一方、複数の（異なる）チャネル／信号＃Ａ、＃Ｂ、＃Ｃに対して、Ｘ個の第２ＵＳＩＤの中から共通の（同じ）第２ＵＳＩＤが選択されて適用される。
【００３３】
なお、図示しないが、第２ＵＳＩＤがグループ毎（ここでは、下り／上りでグループ化）に共通に適用される場合、下り信号であるチャネル／信号＃Ａ、＃Ｂに対して共通の第２ＵＳＩＤが適用され、上り信号であるチャネル／信号＃Ｃに対して、チャネル信号＃Ａ、＃Ｂとは異なる第２ＵＳＩＤが適用されてもよい。
【００３４】
（ＵＳＩＤの通知例）
図４−７を参照し、第１態様に係る無線通信方法で用いられるＵＳＩＤの通知例を説明する。なお、図４−７では、図２に示すように、マクロセルＭ（マクロ基地局ＭｅＮＢ、Ｐセル）における通信にセルＩＤが利用され、スモールセルＳ（スモール基地局ＳｅＮＢ、Ｓセル）における通信にＵＳＩＤが利用されるものとするが、これに限られない。例えば、マクロセルＭにおける通信にＵＳＩＤが利用されてもよい。また、マクロセルＭ（マクロ基地局ＭｅＮＢ、Ｐセル）、スモールセルＳ（スモール基地局ＳｅＮＢ、Ｓセル）は、それぞれ、送信ポイント（Transmission  point）などであってもよい。
【００３５】
また、第１態様に係る無線通信方法において、第１ＵＳＩＤと第２ＵＳＩＤとに基づいてＵＳＩＤを構成するか否かは、スモールセルＳにおける送信モード及び／又はキャリアタイプによって決定される。例えば、スモールセルＳにおいてＮＣＴ（New  Carrier  Type）が適用（configure）される場合、第１ＵＳＩＤと第２ＵＳＩＤとに基づいてＵＳＩＤが構成されてもよい。また、ＰＤＣＣＨが配置されるキャリアタイプが適用される場合、第２ＵＳＩＤに基づかずにＵＳＩＤが構成されてもよい（リリース１１のＵＳＩＤ）。
【００３６】
また、第１ＵＳＩＤと第２ＵＳＩＤとに基づいてＵＳＩＤを構成するか否かは、スモールセルＳにおける送信モード及び／又はキャリアタイプなどによって、準静的（semi-static）又は動的（dynamic）に切り替えられてもよい。
【００３７】
以下では、第１ＵＳＩＤと第２ＵＳＩＤとに基づいてＵＳＩＤが構成される場合（図３参照）の通知例を説明する。なお、図４及び図５の通知例は、第２ＵＳＩＤに基づかずにＵＳＩＤが構成される場合（リリース１１のＵＳＩＤが用いられる場合）にも、適用可能である。
【００３８】
（第１通知例）
図４は、ＵＳＩＤの第１通知例を示すシーケンス図である。第１通知例では、第１ＵＳＩＤと第２ＵＳＩＤとに基づいて構成されるＵＳＩＤ（図３参照）が、マクロ基地局ＭｅＮＢ（Ｐセル）からユーザ端末ＵＥに通知される。
【００３９】
図４に示すように、マクロ基地局ＭｅＮＢは、ユーザ端末ＵＥに対して、第１ＵＳＩＤと第２ＵＳＩＤとに基づいて構成されるＵＳＩＤ（図３参照）を通知する（ステップＳ１０１）。具体的には、マクロ基地局ＭｅＮＢは、ＲＲＣシグナリングなどの上位レイヤシグナリングを用いて、ユーザ端末ＵＥに個別に通知する。
【００４０】
スモール基地局ＳｅＮＢは、ステップＳ１０１でユーザ端末ＵＥに通知されるＵＳＩＤを用いて、下り信号を生成する（ステップＳ１０２）。なお、下り信号の生成に用いられるＵＳＩＤは、マクロ基地局ＭｅＮＢからスモール基地局ＳｅＮＢに通知されてもよいし、予めスモール基地局ＳｅＮＢに記憶されていてもよい。
【００４１】
具体的には、スモール基地局ＳｅＮＢは、上記ＵＳＩＤに基づいて疑似ランダム系列（pseudo-random  sequence、スクランブル系列）Ｃ（ｉ）を初期化し、初期化された疑似ランダム系列に基づいてＣＳＩ−ＲＳを生成（スクランブル）してもよい。例えば、疑似ランダム系列Ｃ（ｉ）は、（式２）を用いて初期化されてもよい。
【数１】
2014204306.tif 000003
ここで、ＮＩＤＣＳＩは、上記ＵＳＩＤと等しい。なお、ｎｓは、無線フレーム内のスロット番号である。また、ＮＣＰは、ノーマルＣＰ（Normal  Cyclic  Prefix）の場合、１が設定され、拡張ＣＰ（Extended  Cyclic  Prefix）の場合、０が設定される。
【００４２】
また、スモール基地局ＳｅＮＢは、上記ＵＳＩＤに基づいてユーザ固有のスクランブル系列Ｃ（ｉ）を初期化し、初期化されたスクランブル系列に基づいてＥＰＤＣＣＨによる送信信号を生成（スクランブル）してもよい。例えば、スクランブル系列Ｃ（ｉ）は、（式３）を用いて初期化されてもよい。
【数２】
2014204306.tif 000004
ここで、ＮＩＤ，ｍＥＰＤＣＣＨは、上記ＵＳＩＤと等しい。なお、ｎｓは、無線フレーム内のスロット番号である。また、ｍは、ＥＰＤＣＣＨセット番号である。
【００４３】
また、スモール基地局ＳｅＮＢは、上記ＵＳＩＤに基づいて疑似ランダム系列（スクランブル系列）Ｃ（ｉ）を初期化し、初期化された疑似ランダム系列に基づいてＥＰＤＣＣＨに関連づけられるＤＭ−ＲＳを生成（スクランブル）してもよい。例えば、疑似ランダム系列Ｃ（ｉ）は、（式４）を用いて初期化されてもよい。
【数３】
2014204306.tif 000005
ここで、ＮＩＤ，ｉＥＰＤＣＣＨは、上記ＵＳＩＤと等しい。なお、ｎｓは、無線フレーム内のスロット番号である。また、ＮＩＤ，ｉＥＰＤＣＣＨは、例えば、２である。
【００４４】
また、スモール基地局ＳｅＮＢは、ステップＳ１０１でユーザ端末ＵＥに通知されるＵＳＩＤに基づいて疑似ランダム系列（スクランブル系列）Ｃ（ｉ）を初期化し、初期化された疑似ランダム系列に基づいてＰＤＳＣＨに関連づけられるＤＭ−ＲＳを生成（スクランブル）してもよい。例えば、疑似ランダム系列Ｃ（ｉ）は、（式５）を用いて初期化されてもよい。
【数４】
2014204306.tif 000006
ここで、ＮＩＤ（ｉ）は、上記ＵＳＩＤと等しい。なお、ｎｓは、無線フレーム内のスロット番号である。また、ＮＳＣＩＤは、０又は１が設定される。
【００４５】
スモール基地局ＳｅＮＢは、以上のように生成される下り信号を、ユーザ端末ＵＥに送信する（ステップＳ１０３）。ユーザ端末ＵＥは、マクロ基地局ＭｅＮＢから通知されるＵＳＩＤを用いて下り信号の受信処理（デスクランブル）を行う。なお、ＵＳＩＤを用いて生成される下り信号は、上述のＣＳＩ−ＲＳ、ＥＰＤＣＣＨによる送信信号、ＥＰＤＣＣＨ用のＤＭ−ＲＳ、ＰＤＳＣＨ用のＤＭ−ＲＳに限られない。例えば、ＰＤＳＣＨによる送信信号、スモールセルＳの検出用信号（ディスカバリー信号）の生成に、ＵＳＩＤが用いられてもよい。
【００４６】
ユーザ端末ＵＥは、マクロ基地局ＭｅＮＢから通知されるＵＳＩＤを用いて、上り信号を生成する（ステップＳ１０４）。
【００４７】
具体的には、ユーザ端末ＵＥは、上記ＵＳＩＤに基づいて疑似ランダム系列（スクランブル系列）Ｃ（ｉ）を初期化し、初期化された疑似ランダム系列に基づいてＰＵＳＣＨ用のＤＭ−ＲＳを生成（スクランブル）してもよい。例えば、疑似ランダム系列Ｃ（ｉ）は、（式６）を用いて初期化されてもよい。
【数５】
2014204306.tif 000007
ここで、ＮＩＤ，ｃｓｈ＿ＤＭＲＳは、上記ＵＳＩＤと等しい。
【００４８】
また、ユーザ端末ＵＥは、ステップＳ１０１でマクロ基地局ＭｅＮＢから通知されるＵＳＩＤに基づいて擬似ランダム系列（スクランブル系列）Ｃ（ｉ）を初期化し、初期化された擬似ランダム系列に基づいて、ＰＵＳＣＨ又はＰＵＣＣＨ用のＤＭ−ＲＳやＰＵＣＣＨによる送信信号などにグループホッピングを適用してもよい。例えば、擬似ランダム系列Ｃ（ｉ）は、（式７）を用いて初期化されてもよい。
【数６】
2014204306.tif 000008
ここで、ＮＩＤ，ＲＳは、ステップＳ１０１でマクロ基地局ＭｅＮＢから通知されるＵＳＩＤと等しい。
【００４９】
ユーザ端末ＵＥは、以上のように生成される上り信号を、スモール基地局ＳｅＮＢに送信する（ステップＳ１０５）。スモール基地局ＳｅＮＢは、上述のＵＳＩＤを用いて上り信号の受信処理（デスクランブル）を行う。なお、ＵＳＩＤを用いて生成される上り信号は、上述のＤＭ−ＲＳやＰＵＣＣＨによる送信信号に限られない。例えば、ＳＲＳやＰＵＳＣＨやＰＲＡＣＨによる送信信号の生成に、ＵＳＩＤが用いられてもよい。
【００５０】
第１通知例によれば、第１ＵＳＩＤと第２ＵＳＩＤとに基づいて構成されるＵＳＩＤが、リリース１１のＵＳＩＤ（第１ＵＳＩＤのみに基づいて構成されるＵＳＩＤ）と同様に、マクロ基地局ＭｅＮＢから通知される。このため、ＵＳＩＤの拡張のための実装負荷を軽減しながら、スモールセルＳ間の干渉を十分にランダム化することができる。
【００５１】
（第２通知例）
図５は、ＵＳＩＤの第２通知例を示すシーケンス図である。第２通知例では、第１ＵＳＩＤと第２ＵＳＩＤとに基づいて構成されるＵＳＩＤ（図３参照）が、スモール基地局ＳｅＮＢ（Ｓセル）からユーザ端末ＵＥに通知される。
【００５２】
図５に示すように、スモール基地局ＳｅＮＢは、ユーザ端末ＵＥに対して、第１ＵＳＩＤと第２ＵＳＩＤとに基づいて構成されるＵＳＩＤを通知する（ステップＳ２０１）。具体的には、スモール基地局ＳｅＮＢは、ＲＲＣシグナリングなどの上位レイヤシグナリングを用いて、ユーザ端末ＵＥに個別に、ＵＳＩＤを通知してもよい。
【００５３】
或いは、スモール基地局ＳｅＮＢは、スモールセルＳの検出用信号（ディスカバリー信号）の信号系列に括り付けて（リンクさせて）、ＵＳＩＤを通知してもよい。なお、ＵＳＩＤは、マクロ基地局ＭｅＮＢからスモール基地局ＳｅＮＢに通知されてもよいし、予めスモール基地局ＳｅＮＢに記憶されていてもよい。
【００５４】
スモール基地局ＳｅＮＢは、ステップＳ２０１でユーザ端末ＵＥに通知されるＵＳＩＤを用いて、下り信号を生成する（ステップＳ２０２）。なお、ステップＳ２０２の詳細及びＳ２０３は、図４のステップＳ１０２及びＳ１０３と同様であるため、説明を省略する。
【００５５】
ユーザ端末ＵＥは、スモール基地局ＳｅＮＢから通知されるＵＳＩＤを用いて、上り信号を生成する（ステップＳ２０４）。なお、ステップＳ２０４の詳細及びＳ２０５は、図４のステップＳ１０４及びＳ１０５と同様であるため、説明を省略する。
【００５６】
第２通知例によれば、第１ＵＳＩＤと第２ＵＳＩＤとに基づいて構成されるＵＳＩＤが、スモール基地局ＳｅＮＢから通知される。このため、ユーザ端末ＵＥは、マクロ基地局ＭｅＮＢに接続せずとも、ＵＳＩＤを取得できる。この結果、スモールセルＳ間でハンドオーバを行う際の処理負荷を軽減しながら、スモールセルＳ間の干渉を十分にランダム化することができる。
【００５７】
なお、第１及び第２通知例（図４、５）は、リリース１１のＵＳＩＤ（第１ＵＳＩＤのみに基づいて構成されるＵＳＩＤ）を用いる場合にも適用可能である。具体的には、図４のステップＳ１０１、図５のステップＳ２０１において、スモール基地局ＳｅＮＢは、ユーザ端末ＵＥに対して、リリース１１のＵＳＩＤを通知してもよい。
【００５８】
（第３通知例）
図６は、ＵＳＩＤの第３通知例を示すシーケンス図である。第３通知例では、第１ＵＳＩＤは、マクロ基地局ＭｅＮＢ（Ｐセル）からユーザ端末ＵＥに通知され、第２ＵＳＩＤは、スモール基地局ＳｅＮＢ（Ｓセル）から送信される検出用信号（ディスカバリー信号）に関連づけられる。
【００５９】
ここで、検出用信号はスモール基地局ＳｅＮＢの消費電力を抑えるため、比較的長周期（例えば数百ｍｓｅｃ以上）で送信されてもよい。また、ユーザ端末ＵＥについても消費電力を抑えるため、検出用信号を比較的長周期（例えば数秒以上）に受信してもよい。これによって、例えば基地局が消費電力を抑えるための間欠送信モード（Dormant  mode）であっても、ユーザ端末が間欠受信モード（図１７に示すようなIdle  modeやDRX  modeなど）であっても、検出用信号の受信が可能となる。
【００６０】
図１７を参照し、検出用信号の受信例を説明する。図１７において、Idle  mode（又はIdle-like  mode）（スモール基地局ＳｅＮＢ（スモールセルＳ）に接続していない状態）のユーザ端末ＵＥは、active  modeに移行する際に、検出用信号を受信して、スモール基地局ＳｅＮＢ（スモールセルＳ）を検出する（ケース１）。ケース１において、ユーザ端末ＵＥは、スモール基地局ＳｅＮＢからの検出用信号の受信品質を測定し、測定結果を含む測定報告（measurement  report）をマクロ基地局ＭｅＮＢに送信する。これにより、検出したスモール基地局ＳｅＮＢ（スモールセルＳ）が、Ｓセルとして割り当てられる。
【００６１】
また、active  mode（スモール基地局ＳｅＮＢ（スモールセルＳ）に接続しており、データトラヒックを有する状態）のユーザ端末ＵＥは、所定周期で、検出用信号を受信する（ケース２）。また、DRX  mode（スモール基地局ＳｅＮＢ（スモールセルＳ）に接続しており、データトラヒックを有しない状態）のユーザ端末ＵＥは、例えば、active  modeよりも長い周期で、検出用信号を受信する（ケース３）。ケース３において、スモール基地局ＳｅＮＢは、間欠送信モード（Dormant  mode）に移行してもよい。
【００６２】
また、Idle  mode（又はIdle-like  mode）（スモール基地局ＳｅＮＢ（スモールセルＳ）に接続していない状態、特に、Ｄ２Ｄ（Device  to  Device）通信を行う場合）のユーザ端末ＵＥは、例えば、active  modeよりも長い周期で、検出用信号を受信する（ケース４）。第３通知例では、ケース１−４などでユーザ端末ＵＥに受信される検出用信号に、上述の第２ＵＳＩＤが関連づけられていてもよい。
【００６３】
図６を参照し、第３通知例のシーケンスを詳述する。図６に示すように、マクロ基地局ＭｅＮＢは、ユーザ端末ＵＥに対して、第１ＵＳＩＤを通知する（ステップＳ３０１）。具体的には、マクロ基地局ＭｅＮＢは、ＲＲＣシグナリングなどの上位レイヤシグナリングを用いて、ユーザ端末ＵＥに個別に通知する。
【００６４】
スモール基地局ＳｅＮＢは、ユーザ端末ＵＥに対して、第２ＵＳＩＤを通知する（ステップＳ３０２）。具体的には、スモール基地局ＳｅＮＢは、図１７を参照して説明したように検出される検出用信号（ディスカバリー信号）の信号系列に括り付けて（リンクさせて）、第２ＵＳＩＤを通知してもよい。或いは、スモール基地局ＳｅＮＢは、第２ＵＳＩＤを報知してもよい。
【００６５】
なお、第２ＵＳＩＤは、マクロ基地局ＭｅＮＢからスモール基地局ＳｅＮＢに通知されてもよいし、予めスモール基地局ＳｅＮＢに記憶されていてもよい。また、第１ＵＳＩＤも、マクロ基地局ＭｅＮＢからスモール基地局ＳｅＮＢに通知されてもよいし、予めスモール基地局ＳｅＮＢに記憶されていてもよい。
【００６６】
スモール基地局ＳｅＮＢは、上記第１ＵＳＩＤ及び第２ＵＳＩＤに基づいてＵＳＩＤを演算し、演算されたＵＳＩＤを用いて下り信号を生成する（ステップＳ３０３）。例えば、スモール基地局ＳｅＮＢは、図３に示すように、第１ＵＳＩＤ及び第２ＵＳＩＤを乗算して、ＵＳＩＤを生成する。なお、ステップＳ３０３における下り信号の生成の詳細は、図４のステップＳ１０２と同様であるため、説明を省略する。
【００６７】
スモール基地局ＳｅＮＢは、生成された下り信号を、ユーザ端末ＵＥに送信する（ステップＳ３０４）。ユーザ端末ＵＥは、マクロ基地局ＭｅＮＢから通知される第１ＵＳＩＤとスモール基地局ＳｅＮＢから通知される第２ＵＳＩＤに基づいてＵＳＩＤを演算し、演算されたＵＳＩＤに基づいて下り信号の受信処理（デスクランブル）を行う。例えば、ユーザ端末ＵＥは、図３に示すように、第１ＵＳＩＤ及び第２ＵＳＩＤを乗算して、ＵＳＩＤを生成する。
【００６８】
ユーザ端末ＵＥは、第１ＵＳＩＤと第２ＵＳＩＤとに基づいて演算されたＵＳＩＤを用いて、上り信号を生成する（ステップＳ３０５）。なお、ステップＳ３０５における上り信号の生成の詳細は、図４のステップＳ１０４と同様であるため、説明を省略する。
【００６９】
ユーザ端末ＵＥは、生成された上り信号を、スモール基地局ＳｅＮＢに送信する（ステップＳ３０６）。スモール基地局ＳｅＮＢは、上述のように演算されたＵＳＩＤに基づいて下り信号の受信処理（デスクランブル、デマッピング）を行う。
【００７０】
第３通知例によれば、第１ＵＳＩＤがマクロ基地局ＭｅＮＢから通知される一方、第２ＵＳＩＤがスモール基地局ＳｅＮＢから通知される。これにより、例えば、スモールセルＳ間でハンドオーバする際におけるマクロセルＭからの制御信号量を削減することができる。
【００７１】
（第４通知例）
図７は、ＵＳＩＤの第４通知例を示すシーケンス図である。第４通知例では、第１ＵＳＩＤは、マクロ基地局ＭｅＮＢ（Ｐセル）からユーザ端末ＵＥに通知され、第２ＵＳＩＤは、マクロセルＭのセルＩＤ（セル識別子）に関連づけられる。
【００７２】
図７に示すように、マクロ基地局ＭｅＮＢは、ユーザ端末ＵＥにおけるセルＩＤの検出に用いられる同期信号（ＰＳＳ：Primary  Synchronization  Signal、ＳＳＳ：Secondary  Synchronization  Signal）を送信する（ステップＳ４０１）。ユーザ端末ＵＥは、マクロ基地局ＭｅＮＢから送信される同期信号に基づいて、セルＩＤを検出する。ユーザ端末ＵＥは、セルＩＤに関連づけられる（括り付けられる、リンクされる）第２ＵＳＩＤを取得する。
【００７３】
また、マクロ基地局ＭｅＮＢは、ユーザ端末ＵＥに対して、第１ＵＳＩＤを通知する（ステップＳ４０２）。具体的には、マクロ基地局ＭｅＮＢは、ＲＲＣシグナリングなどの上位レイヤシグナリングを用いて、ユーザ端末ＵＥに個別に通知する。
【００７４】
なお、ステップＳ４０３−Ｓ４０６は、図６のステップＳ３０３−Ｓ３０６と同様であるため、説明を省略する。
【００７５】
第４通知例によれば、第２ＵＳＩＤがマクロセルＭのセルＩＤに関連づけられるので、第２ＵＳＩＤを個別にユーザ端末ＵＥに通知する必要がない。このため、ＵＳＩＤの通知に伴うシグナリング量を軽減できる。
【００７６】
（第２態様）
図８を参照し、本発明の第２態様に係る無線通信方法を説明する。第２態様に係る無線通信方法では、上記ＵＳＩＤを用いて生成されるＣＳＩ−ＲＳが、ホッピングパターンに基づいてホッピングされる配置リソースにマッピングされる。なお、第２態様に係る無線通信方法において用いられるＵＳＩＤは、第１ＵＳＩＤと第２ＵＳＩＤとに基づいて構成されるＵＳＩＤであってもよいし、リリース１１のＵＳＩＤであってもよい。
【００７７】
ＣＳＩ−ＲＳは、ＣＳＩ−ＲＳ構成（CSI  Reference  Signal  configuration）が示す配置リソース（例えば、リソースエレメント）に、所定周期（例えば、５サブフレーム周期）で配置される。ここで、ＣＳＩ−ＲＳ構成は、周波数リソース（サブキャリアｋ）と時間リソース（ＯＦＤＭシンボルｌ）のシフト量（ｋ’，ｌ’）を示す。当該シフト量に基づいて、ＣＳＩ−ＲＳの配置リソースが決定される。例えば、リリース１１のノーマルＣＰ（Cyclic  Prefix）の場合、３２種類のＣＳＩ−ＲＳ構成＃０−＃３１が定められる。なお、ＣＳＩ−ＲＳ構成は、「CSI-RS  Config.」、「Config.」などと呼ばれもよい。
【００７８】
かかるＣＳＩ−ＲＳ構成は、準静的（semi-static）に設定（configure）され、ＲＲＣシグナリングなどの上位レイヤシグナリングでユーザ端末ＵＥに通知される。このため、スモールセルＳ間でＣＳＩ−ＲＳの配置リソースの衝突が一度発生すると、新たなＣＳＩ−ＲＳ構成が再設定（re-configure）されるまでは、当該衝突が発生し続けてしまうことになる。この結果、ＣＳＩ−ＲＳについて、スモールセルＳ間の干渉のランダム化効果を十分に得ることができない恐れがある。
【００７９】
そこで、第２態様に係る無線通信方法では、ＣＳＩ−ＲＳ構成をホッピングパターンに従ってホッピングさせることで、スモールセルＳ間でのＣＳＩ−ＲＳの配置リソースの衝突を防止する。この結果、ＣＳＩ−ＲＳについて、スモールセルＳ間の干渉のランダム化効果を向上させることができる。
【００８０】
（ＣＳＩ−ＲＳ構成のホッピングパターン）
図８は、ＣＳＩ−ＲＳ構成のホッピングパターンを示す図である。図８では、ＣＳＩ−ＲＳ構成（CSI-RS  Config）＃１が、上位レイヤシグナリングにより、ユーザ端末ＵＥに通知（configure）されるものとする。なお、図８では、５サブフレーム周期でＣＳＩ−ＲＳが配置されるものとするが、これに限られない。
【００８１】
図８に示すように、ＣＳＩ−ＲＳ構成は、ホッピングパターンに従って、ホッピングされる。ここで、ホッピングパターンとは、時間に基づく関数によって定められるＣＳＩ−ＲＳ構成の組み合わせである。例えば、図８において、サブフレーム＃０では、ＣＳＩ−ＲＳ構成＃１に基づいてＣＳＩ−ＲＳが配置される。一方、サブフレーム＃５では、ＣＳＩ−ＲＳ構成＃３に基づいてＣＳＩ−ＲＳが配置される。また、サブフレーム＃１０では、ＣＳＩ−ＲＳ構成＃１０に基づいてＣＳＩ−ＲＳが配置される。このサブフレーム＃０、＃５、＃１０におけるＣＳＩ−ＲＳ構成の組み合わせ（＃１、＃３、＃１０）が、ホッピングパターンと呼ばれてもよい。
【００８２】
また、図８において、サブフレーム＃０、＃５、＃１０のそれぞれにおいて適用されるＣＳＩ−ＲＳ構成（Config.）は、（式８）により決定されてもよい。
（式８）
ｃｏｎｆｉｇ．＝{Ｂａｓｅ＿ｃｏｎｆｉｇ．＋ｈ（ｔ）}  ｍｏｄ  ３２
ここで、Ｂａｓｅ＿ｃｏｎｆｉｇ．は、ＲＲＣシグナリングなどの上位レイヤシグナリングにより設定（configure）されるＣＳＩ−ＲＳ構成である。また、ｈ（ｔ）は、ホッピングパターンを示す関数であり、ｔは、時間（例えば、フレーム番号又はサブフレーム番号、図８では、サブフレーム番号）である。
【００８３】
（式８）では、同じホッピングパターンｈ（ｔ）であっても、異なるＢａｓｅ＿ｃｏｎｆｉｇ．が割り当てられる場合、ＣＳＩ−ＲＳの配置リソースの衝突を回避できる。このため、スモールセルＳ間でＣＳＩ−ＲＳを直交させることもできる。
【００８４】
また、図８において、ホッピングパターン（図８では、ＣＳＩ−ＲＳ構成＃１、＃３、＃１０の組み合わせ）が適用される周期は、ホッピング周期とも呼ばれる。かかるホッピング周期は、サブフレーム（１０ｍｓｅｃ）単位であってもよいし、無線フレーム（１００ｍｓｅｃ）単位であってもよい。例えば、図８のホッピング周期は、５サブフレーム×３＝１５サブフレームである。
【００８５】
また、スモールセルＳ（Ｓセル）においてＮＣＴが適用される場合、マクロセルＭ（Ｐセル）でフレーム同期が確立されている。このため、ホッピング周期は、例えば、１０２４ｍｓｅｃなど、比較的長い周期とすることが可能である。ホッピング周期を長くすることで、ホッピング周期内におけるＣＳＩ−ＲＳ構成の組み合わせが増加するので、ホッピングパターン数を増加させることができる。この結果、スモールセルＳ間の干渉のランダム化効果を更に向上させることができる。
【００８６】
なお、以上のようにホッピングされるＣＳＩ−ＲＳ構成は、Zero-Powerであってもよいし、Non-zero-powerであってもよい。Zero-powerのＣＳＩ−ＲＳ構成とは、ＣＳＩ−ＲＳを送信しないようにするリソースの位置を示すものである。一方、Non-Zero-powerのＣＳＩ−ＲＳ構成とは、ＣＳＩ−ＲＳを送信しないようにするリソースの位置を示すものである。Zero-power/Non-Zero-powerのＣＳＩ−ＲＳ構成を所定周期でホッピングすることで、干渉推定用リソースをランダム化することができる。
【００８７】
（ＣＳＩ−ＲＳ構成のホッピングパターンの通知例）
次に、ＣＳＩ−ＲＳ構成のホッピングパターンの通知例を説明する。なお、以下において、ＣＳＩ−ＲＳ構成のホッピングパターンは、マクロ基地局ＭｅＮＢ（Ｐセル）又はスモール基地局ＳｅＮＢ（Ｓセル）のいずれからユーザ端末ＵＥに通知されてもよい。
【００８８】
具体的には、ＣＳＩ−ＲＳ構成のホッピングパターン（例えば、上述のｈ（ｔ））は、ＲＲＣシグナリングなどの上位レイヤシグナリングにより、ユーザ端末ＵＥに通知されてもよい。上記（式８）では、３２種類の「Ｂａｓｅ＿ｃｏｎｆｉｇ．」が存在する。このため、ホッピングパターンの総数は、３２×ｈ（ｔ）用に確保されるビット数と等しくなる。
【００８９】
また、ＣＳＩ−ＲＳ構成のホッピングパターンは、ＵＳＩＤに関連づけられてもよい（リンクさせてもよい）。また、第１ＵＳＩＤと第２ＵＳＩＤとに基づいて構成されるＵＳＩＤが用いられる場合、ＣＳＩ−ＲＳ構成のホッピングパターンは、第２ＵＳＩＤに関連づけられてもよい。かかる場合、ＵＳＩＤとは別にホッピングパターンを通知する必要がなく、シグナリング量を低減できる。
【００９０】
また、第２態様に係る無線通信方法において、ＣＳＩ−ＲＳ構成のホッピングを適用するか否か（ＯＮ／ＯＦＦ）は、切り替え可能に構成されてもよい。具体的には、ＣＳＩ−ＲＳ構成のホッピングを適用するか否かは、ＣＳＩ−ＲＳ構成のホッピングパターンｈ（ｔ）の値に関連づけてユーザ端末ＵＥに通知（configure）されてもよい。例えば、上述のｈ（ｔ）が特定の値（例えば、「０」）である場合、ＣＳＩ−ＲＳ構成のホッピングが適用されないこと（ＯＦＦ）を示してもよい。また、特定の値以外（例えば、「１」以上）である場合、ＣＳＩ−ＲＳ構成のホッピングが適用されること（「ＯＮ」）を示してもよい。
【００９１】
また、ＣＳＩ−ＲＳ構成のホッピングを適用するか否かは、第２ＵＳＩＤの値によって、ユーザ端末ＵＥに通知されてもよい。また、ＣＳＩ−ＲＳ構成のホッピングを適用するか否かは、第２ＵＳＩＤに基づいてＵＳＩＤが構成されるか否かによって、ユーザ端末ＵＥに通知されてもよい。例えば、第２ＵＳＩＤに基づいてＵＳＩＤが構成される場合、ＣＳＩ−ＲＳ構成のホッピングが適用されることを示してもよい。
【００９２】
また、ＣＳＩ−ＲＳ構成のホッピングを適用するか否かは、独立のビットを用いて、ユーザ端末ＵＥに通知されてもよい。例えば、１ビットを用いる場合、「０」がＣＳＩ−ＲＳ構成のホッピングが適用されないこと（ＯＦＦ）を示し、「１」がＣＳＩ−ＲＳ構成のホッピングが適用されること（ＯＮ）を示してもよい。
【００９３】
第２態様に係る無線通信方法によれば、ＣＳＩ−ＲＳ構成をホッピングさせることで、ＣＳＩ−ＲＳ構成を再設定（reconfigure）する場合と比較して、ＣＳＩ−ＲＳの配置リースを簡易及び短周期で変更できる。この結果、ＣＳＩ−ＲＳについて、スモールセルＳ間の干渉のランダム化効果を向上させることができる。
【００９４】
（第３態様）
図９及び１０を参照し、本発明の第３態様に係る無線通信方法を説明する。第３態様に係る無線通信方法では、上記ＵＳＩＤを用いて生成されるＥＰＤＣＣＨの送信信号が、ホッピングパターンに基づいてホッピングされる配置リソース（以下、ＥＰＤＣＣＨリソースという）にマッピングされる。なお、第３態様に係る無線通信方法において用いられるＵＳＩＤは、第１ＵＳＩＤと第２ＵＳＩＤとに基づいて構成されるＵＳＩＤであってもよいし、リリース１１のＵＳＩＤであってもよい。
【００９５】
図９は、ＥＰＤＣＣＨリソースの説明図である。図９に示すように、ＥＰＤＣＣＨリソースは、システム帯域幅に分散された所定数の物理リソースブロック（ＰＲＢ）（又は、ＰＲＢペア、以下、単にＰＲＢという）で構成される。かかるＰＲＢは、ＰＲＢインデックスにより識別される。
【００９６】
下り制御情報（ＤＣＩ）は、局所マッピング（Localized  Mapping）又は分散マッピング（Distributed  Mapping）でＥＰＤＣＣＨリソースにマッピングされ、送信される。図９Ａに示すように、局所マッピングでは、１ＤＣＩが、ＥＰＤＣＣＨリソースを構成する特定のＰＲＢ（例えば、チャネル品質が最も良いＰＲＢ）に局所的にマッピングされる。局所マッピングでは、チャネル品質（ＣＱＩ）に基づくため、周波数スケジューリングゲインを得ることができる。
【００９７】
一方、図９Ｂに示すように、分散マッピングでは、１ＤＣＩが、ＥＰＤＣＣＨリソースを構成する複数のＰＲＢに分散してマッピングされる。分散マッピングでは、１ＤＣＩが周波数方向に分散して配置されるので、周波数ダイバーシチゲインを得ることができる。
【００９８】
以上のようなＥＰＤＣＣＨリソースは、準静的（semi-static）に設定（configure）されるか、あるいは、固定的に予め定められる。このため、スモールセルＳ間でＥＰＤＣＣＨリソースの衝突が一度発生すると、当該衝突が発生し続けてしまうことになる。この結果、ＥＰＤＣＣＨについて、スモールセルＳ間の干渉のランダム化効果を十分に得られない恐れがある。
【００９９】
そこで、第３態様に係る無線通信方法では、ＥＰＤＣＣＨリソースをホッピングパターンに従ってホッピングさせることで、スモールセルＳ間でのＥＰＤＣＣＨリソースの衝突を防止する。この結果、ＥＰＤＣＣＨについて、スモールセルＳ間の干渉のランダム化効果を向上させることができる。
【０１００】
（ＥＰＤＣＣＨリソースのホッピングパターン）
図１０は、ＥＰＤＣＣＨリソースのホッピングパターンの説明図である。図１０では、ＥＰＤＣＣＨリソースを構成するＰＲＢのＰＲＢインデックスが、ＲＲＣシグナリングなどの上位レイヤシグナリングにより、ユーザ端末ＵＥに通知（configure）されるものとする。
【０１０１】
図１０に示すように、ＥＰＤＣＣＨリソースは、ホッピングパターンに従って、周波数方向にホッピングされる（シフトされる）。ここで、ホッピングパターンとは、時間に基づく関数によって定められるホッピング量（例えば、シフトされるＰＲＢ数、又は無線フレーム数）の組み合わせである。
【０１０２】
例えば、図１０において、時刻ｔ＋ａのＥＰＤＣＣＨリソースは、時刻ｔのＥＰＤＣＣＨリソースから周波数方向に、２ＰＲＢシフトされる。また、時刻ｔ＋ｂのＥＰＤＣＣＨリソースは、時刻ｔ＋ａのＥＰＤＣＣＨリソースから周波数方向に、３ＰＲＢシフトされる。この時刻ｔ、ｔ＋ａ、ｔ＋ｂにおけるホッピング量（ここでは、ＰＲＢ数）の組み合わせ（０、２、３）が、ホッピングパターンと呼ばれてもよい。なお、図１０の変数ａ及びｂの値は、等しく設定されてもよいし、等しくなくともよい。
【０１０３】
また、図１０の時刻ｔ＋ａ、ｔ＋ｂでは、それぞれ、２ＰＲＢ、５（２＋３）ＰＲＢがシステム帯域からはみ出す。このため、システム帯域幅からはみ出したＰＲＢは、巡回シフトされ、システム帯域内に戻される。
【０１０４】
また、図１０において、ホッピングパターンが適用される周期は、ホッピング周期とも呼ばれる。かかるホッピング周期は、サブフレーム（１０ｍｓｅｃ）単位であってもよいし、無線フレーム（１００ｍｓｅｃ）単位であってもよい。
【０１０５】
また、スモールセルＳ（Ｓセル）においてＮＣＴが適用される場合、マクロセルＭ（Ｐセル）でフレーム同期が確立されている。このため、ホッピング周期は、例えば、１０２４ｍｓｅｃなど、比較的長い周期とすることが可能である。ホッピング周期を長くすることで、ホッピング周期内におけるホッピング量の組み合わせが増加するので、ホッピングパターン数を増加させることができる。この結果、スモールセルＳ間の干渉のランダム化効果を更に向上させることができる。
【０１０６】
（ＥＰＤＣＣＨリソースのホッピングパターンの通知例）
次に、ＥＰＤＣＣＨリソースのホッピングパターンの通知例を説明する。なお、以下において、ＥＰＤＣＣＨリソースのホッピングパターンは、マクロ基地局ＭｅＮＢ（Ｐセル）又はスモール基地局ＳｅＮＢ（Ｓセル）のいずれからユーザ端末ＵＥに通知されてもよい。
【０１０７】
具体的には、ＥＰＤＣＣＨリソースのホッピングパターンは、ＲＲＣシグナリングなどの上位レイヤシグナリングにより、ユーザ端末ＵＥに通知されてもよい。
【０１０８】
また、ＥＰＤＣＣＨリソースのホッピングパターンは、ＵＳＩＤに関連づけられてもよい（リンクさせてもよい）。また、第１ＵＳＩＤと第２ＵＳＩＤとに基づいて構成されるＵＳＩＤが用いられる場合、ＥＰＤＣＣＨリソースのホッピングパターンは、第２ＵＳＩＤに関連づけられてもよい。かかる場合、ＵＳＩＤとは別にホッピングパターンを通知する必要がなく、シグナリング量を低減できる。
【０１０９】
また、第３態様に係る無線通信方法において、ＥＰＤＣＣＨリソースのホッピングを適用するか否か（ＯＮ／ＯＦＦ）は、切り替え可能に構成されてもよい。具体的には、ＥＰＤＣＣＨリソースのホッピングを適用するか否かは、ＥＰＤＣＣＨリソースのホッピングパターンの値に関連づけてユーザ端末ＵＥに通知（configure）されてもよい。
【０１１０】
また、ＥＰＤＣＣＨリソースのホッピングを適用するか否かは、第２ＵＳＩＤの値によって、ユーザ端末ＵＥに通知されてもよい。また、ＥＰＤＣＣＨリソースのホッピングを適用するか否かは、第２ＵＳＩＤに基づいてＵＳＩＤが構成されるか否かによって、ユーザ端末ＵＥに通知されてもよい。例えば、第２ＵＳＩＤに基づいてＵＳＩＤが構成される場合、ＥＰＤＣＣＨリソースのホッピングが適用されることを示してもよい。
【０１１１】
また、ＥＰＤＣＣＨリソースのホッピングを適用するか否かは、独立のビットを用いて、ユーザ端末ＵＥに通知されてもよい。例えば、１ビットを用いる場合、「０」がＥＰＤＣＣＨリソースのホッピングが適用されないこと（ＯＦＦ）を示し、「１」がＥＰＤＣＣＨリソースのホッピングが適用されること（ＯＮ）を示してもよい。
【０１１２】
第３態様に係る無線通信方法によれば、ＥＰＤＣＣＨリソースをホッピングさせることで、ＥＰＤＣＣＨリソースを簡易及び短周期で変更できる。この結果、ＥＰＤＣＣＨについて、スモールセルＳ間の干渉のランダム化効果を向上させることができる。
【０１１３】
（無線通信システムの構成）
以下、本実施の形態に係る無線通信システムについて、詳細に説明する。この無線通信システムでは、第１−第３態様に係る無線通信方法が適用される。
【０１１４】
図１１は、本実施の形態に係る無線通信システムの概略構成図である。図１１に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。また、マクロセルＣ１及び各スモールセルＣ２には、ユーザ端末２０が配置されている。なお、マクロセルＣ１（マクロ基地局１１）、スモールセルＣ２（スモール基地局１２）、ユーザ端末２０の数は図１１に示すものに限られない。
【０１１５】
また、マクロセルＣ１及び各スモールセルＣ２には、ユーザ端末２０が配置されている。ユーザ端末２０は、マクロ基地局１１及び／又はスモール基地局１２と無線通信可能に構成されている。また、ユーザ端末２０は、各スモールセルＣ２で用いられるコンポーネントキャリアを統合して（キャリアアグリゲーション）、複数のスモール基地局１２と通信できる。或いは、ユーザ端末２０は、マクロセルＣ１、スモールセルＣ２でそれぞれ用いられるコンポーネントキャリアを統合して、マクロ基地局１１及びスモール基地局１２と通信できる。
【０１１６】
ユーザ端末２０とマクロ基地局１１との間は、相対的に低い周波数帯域（例えば、２ＧＨｚ）のキャリアを用いて通信が行なわれる。一方、ユーザ端末２０とスモール基地局１２との間は、相対的に高い周波数帯域（例えば、３．５ＧＨｚなど）のキャリアが用いられるが、これに限られない。マクロ基地局１１とスモール基地局１２とで同一の周波数帯域が用いられてもよい。
【０１１７】
また、マクロ基地局１１と各スモール基地局１２とは、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよいし、無線接続されてもよい。また、スモール基地局１２間も、Ｘ２インターフェースなどの相対的に低速（中遅延）の回線（Non-Ideal  backhaul）で接続されてもよいし、光ファイバなどの相対的に高速（低遅延）の回線（Ideal  backhaul）で接続されてもよいし、無線接続されてもよい。
【０１１８】
マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【０１１９】
なお、マクロ基地局１１は、相対的に広いカバレッジを有する無線基地局であり、ｅＮｏｄｅＢ（ｅＮＢ）、無線基地局、送信ポイント（transmission  point）などと呼ばれてもよい。スモール基地局１２は、局所的なカバレッジを有する無線基地局であり、ＲＲＨ（Remote  Radio  Head）、ピコ基地局、フェムト基地局、Ｈｏｍｅ  ｅＮｏｄｅＢ、送信ポイント、ｅＮｏｄｅＢ（ｅＮＢ）などと呼ばれてもよい。ユーザ端末２０は、ＬＴＥ、ＬＴＥ−Ａなどの各種通信方式に対応した端末であり、移動通信端末だけでなく固定通信端末を含んでよい。
【０１２０】
また、無線通信システム１では、下りリンクの通信チャネルとして、各ユーザ端末２０で共有される物理下り共有チャネル（ＰＤＳＣＨ）と、物理下り制御チャネル（ＰＤＣＣＨ）、拡張物理下り制御チャネル（ＥＰＤＣＣＨ）、ＰＣＦＩＣＨ、ＰＨＩＣＨ、報知チャネル（ＰＢＣＨ）などが用いられる。ＰＤＳＣＨにより、ユーザデータや上位レイヤ制御情報が伝送される。ＰＤＣＣＨ、ＥＰＤＣＣＨにより、下り制御情報（ＤＣＩ）が伝送される。
【０１２１】
また、無線通信システム１では、上りリンクの通信チャネルとして、各ユーザ端末２０で共有される各ユーザ端末２０で共有される物理上り共有チャネル（ＰＵＳＣＨ）と、物理上り制御チャネル（ＰＵＣＣＨ）、物理ランダムアクセスチャネル（ＰＲＡＣＨ）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）や、送達確認情報（ＡＣＫ/ＮＡＣＫ）等が伝送される。
【０１２２】
また、無線通信システム１では、下りリンクの参照信号として、ＰＤＳＣＨに関連づけられる端末固有参照信号（ＵＥ−Specific  Reference  Signal、ＤＭ−ＲＳともいう）や、ＥＰＤＣＣＨに関連づけられる復調用参照信号（ＤＭ−ＲＳ）、チャネル状態測定用参照信号（ＣＳＩ−ＲＳ）や、スモールセルＣ２の検出用信号（ＤＳ：Discovery  Signal）などが用いられる。また、無線通信システム１では、下りリンクの同期信号として、プライマリ同期信号（ＰＳＳ）や、セカンダリ同期信号（ＳＳＳ）などが用いられる。
【０１２３】
また、無線通信システム１では、上りリンクの参照信号として、ＰＵＳＣＨ又はＰＵＣＣＨ用の復調用参照信号（ＤＭ−ＲＳ：Demodulation−Reference  Signal）や、ＳＲＳ（Sounding  Reference  Signal）などが用いられる。
【０１２４】
また、無線通信システム１では、１サブフレームの先頭最大３ＯＦＤＭシンボルにＰＤＣＣＨが配置されないキャリアタイプ（ＮＣＴ：New Carrier  Type）が用いられてもよい。
【０１２５】
以下、マクロ基地局１１及びスモール基地局１２を区別しない場合、無線基地局１０と総称する。
【０１２６】
図１２は、本実施の形態に係る無線基地局１０の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【０１２７】
下りリンクにより無線基地局１０からユーザ端末２０に送信されるユーザデータは、上位局装置３０から伝送路インターフェース１０６を介してベースバンド信号処理部１０４に入力される。
【０１２８】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号（参照信号、同期信号、報知信号などを含む）に関しても、チャネル符号化や逆高速フーリエ変換等の送信処理が行われて、各送受信部１０３に転送される。
【０１２９】
各送受信部１０３は、ベースバンド信号処理部１０４からアンテナ毎にプリコーディングして出力された下り信号を無線周波数帯に変換する。アンプ部１０２は、周波数変換された無線周波数信号を増幅して送受信アンテナ１０１により送信する。
【０１３０】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１３１】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【０１３２】
図１３は、本実施の形態に係るユーザ端末２０の全体構成図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５とを備えている。
【０１３３】
下り信号については、複数の送受信アンテナ２０１で受信された無線周波数信号がそれぞれアンプ部２０２で増幅され、送受信部２０３で周波数変換され、ベースバンド信号処理部２０４に入力される。ベースバンド信号処理部２０４では、ＦＦＴ処理や、誤り訂正復号、再送制御の受信処理等がなされる。この下り信号に含まれるユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【０１３４】
一方、上りリンクのユーザデータについては、アプリケーション部２０５からベースバンド信号処理部２０４に入力される。ベースバンド信号処理部２０４では、再送制御（Ｈ−ＡＲＱ（Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１３５】
次に、図１４−図１６を参照し、マクロ基地局１１と、スモール基地局１２と、ユーザ端末２０との機能構成について詳述する。
【０１３６】
図１４は、本実施の形態に係るマクロ基地局１１の機能構成図である。図１４に示すように、マクロ基地局１１は、ＰＣＩ送信処理部１１１と、ＵＳＩＤ送信処理部１１２と、を具備する。なお、ＵＳＩＤの第２通知例（図５参照）においては、ＵＳＩＤ送信処理部１１２は省略されてもよい。また、以下の機能構成は、マクロ基地局１１が有するベースバンド信号処理部１０４などによって構成される。
【０１３７】
ＰＣＩ送信処理部１１１は、マクロ基地局１１のセルＩＤ（ＰＣＩ）の送信処理（例えば、変調、符号化など）を行う。具体的には、ＰＣＩ送信処理部１１１は、セルＩＤの検出に用いられる同期信号（ＰＳＳ、ＳＳＳ）を送信する。
【０１３８】
ＵＳＩＤ送信処理部１１２は、ＵＳＩＤの送信処理（例えば、変調、符号化など）を行う。ＵＳＩＤは、第１ＵＳＩＤと第２ＵＳＩＤとを演算結果によって構成されてもよい（図３）。
【０１３９】
具体的には、ＵＳＩＤ送信処理部１１２は、ＵＳＩＤを含む上位レイヤ制御情報（例えば、ＲＲＣレイヤ、ＭＡＣレイヤ）を生成し、生成した上位レイヤ制御情報の送信処理を行う。或いは、ＵＳＩＤ送信処理部１１２は、ＵＳＩＤを含む報知情報を生成し、生成した報知情報の送信処理を行ってもよい。また、ＵＳＩＤ送信処理部１１２は、伝送路インターフェース１０６を介して、ＵＳＩＤをスモール基地局１２に通知してもよい。
【０１４０】
また、ＵＳＩＤ送信処理部１１２は、第２ＵＳＩＤを含まず第１ＵＳＩＤを含む上位レイヤ制御情報（例えば、ＲＲＣレイヤ、ＭＡＣレイヤ）生成し、生成した上位レイヤ制御情報の送信処理を行ってもよい。また、ＵＳＩＤ送信処理部１１２は、伝送路インターフェース１０６を介して、第２ＵＳＩＤをスモール基地局１２に通知してもよい。
【０１４１】
また、ＵＳＩＤ取得部１１２は、スモールセルＣ２における送信モード及び／又はキャリアタイプなどによって、第１ＵＳＩＤと第２ＵＳＩＤとに基づいてＵＳＩＤを構成するか、あるいは、第２ＵＳＩＤに基づかず第１ＵＳＩＤに基づいてＵＳＩＤを構成するかを切り替えてもよい。
【０１４２】
図１５は、本実施の形態に係るスモール基地局１２の機能構成図である。図１５に示すように、スモール基地局１２は、ＵＳＩＤ取得部１２１と、下り信号送信処理部１２２と、上り信号受信処理部１２３と、を具備する。なお、以下の機能構成は、スモール基地局１２が有するベースバンド信号処理部１０４などによって構成される。
【０１４３】
ＵＳＩＤ取得部１２１は、下り信号の送信処理／上り信号の受信処理に用いられるＵＳＩＤを取得する。具体的には、ＵＳＩＤ取得部１２１は、マクロ基地局１１から伝送路インターフェース１０６を介してＵＳＩＤを取得してもよいし、記憶部（不図示）に予め記憶されるＵＳＩＤを取得してもよい。また、ＵＳＩＤ取得部１２１は、第１ＵＳＩＤと第２ＵＳＩＤとを演算してＵＳＩＤを取得してもよい。
【０１４４】
下り信号送信処理部１２２は、ＵＳＩＤ取得部１２１で取得されたＵＳＩＤを用いて、下り信号の送信処理（例えば、スクランブル、マッピング、変調、符号化など）を行う。下り信号送信処理部１２２は、本発明の生成部（下り信号を生成）及びマッピング部（下り信号をリソースにマッピング）を構成する。
【０１４５】
具体的には、下り信号送信処理部１２２は、ＵＳＩＤに基づいて疑似ランダム系列（スクランブル系列）を初期化し、初期化された疑似ランダム系列に基づいて下り信号を生成（スクランブル）してもよい（第１態様、図４のステップＳ１０２参照）。上述のように、下り信号は、例えば、ＣＳ−ＲＳ、ＥＰＤＣＣＨの送信信号、ＥＰＤＣＣＨ用のＤＭ−ＲＳ、ＰＤＳＣＨ用のＤＭ−ＲＳ、ＰＤＳＣＨ用の送信信号などであるが、これらに限られない。
【０１４６】
また、下り信号送信処理部１２２は、ホッピングパターンに基づいてホッピングされる配置リソースに、下り信号をマッピングしてもよい。具体的には、下り信号送信処理部１２２は、ホッピングパターンに従ってホッピングされる配置リソース（ホッピングされるＣＳＩ−ＲＳ構成が示す配置リソース）に、ＣＳＩ−ＲＳをマッピングしてもよい（第２態様、図８参照）。また、下り信号送信処理部１２２は、ホッピングパターンに従ってホッピングされる配置リソース（ＥＰＤＣＣＨリソース）に、ＥＰＤＣＣＨの送信信号をマッピングしてもよい（第３態様、図１０参照）。
【０１４７】
なお、ホッピングパターンは、時間に基づく関数によって定められてもよい。また、ホッピング周期は、サブフレーム（１０ｍｓｅｃ）単位であってもよいし、無線フレーム（１００ｍｓｅｃ）単位であってもよい。スモール基地局１２においてＮＣＴが適用される場合、ホッピング周期は、例えば、１０２４ｍｓｅｃなど、比較的長い周期に設定可能である。
【０１４８】
上り信号受信処理部１２３は、ＵＳＩＤ取得部１２１で取得されたＵＳＩＤを用いて、上り信号の受信処理（例えば、デスクランブル、デマッピング、復調、復号化など）を行う。
【０１４９】
具体的には、上り信号受信処理部１２３は、ＵＳＩＤに基づいて疑似ランダム系列（スクランブル系列）を初期化し、初期化された疑似ランダム系列に基づいて上り信号の受信処理（デスクランブル）を行う（第１態様、図４のステップＳ１０５参照）。上述のように、上り信号は、例えば、ＰＵＳＣＨ又はＰＵＣＣＨ用のＤＭ−ＲＳ、ＰＵＳＣＨの送信信号、ＰＵＣＣＨの送信信号、ＳＲＳなどであるが、これらに限られない。
【０１５０】
図１６は、本実施の形態に係るユーザ端末２０の機能構成図である。図１６に示すように、ユーザ端末２０は、ＵＳＩＤ取得部２１１と、下り信号受信処理部２１２と、上り信号送信処理部２１３と、を具備する。なお、以下の機能構成は、ユーザ端末２０が有するベースバンド信号処理部２０４などによって構成される。
【０１５１】
ＵＳＩＤ取得部２１１は、下り信号の受信処理／上り信号の送信処理に用いられるＵＳＩＤを取得する。具体的には、ＵＳＩＤ取得部２１１は、マクロ基地局１１又はスモール基地局１２から、ＵＳＩＤを含む上位レイヤ制御情報（例えば、ＲＲＣレイヤ、ＭＡＣレイヤ）又は報知情報を取得する。
【０１５２】
また、ＵＳＩＤ取得部２１１は、マクロ基地局１１から送信された、第１ＵＳＩＤを含む上位レイヤ制御情報又は報知情報を取得する一方、スモール基地局１２から送信された、第２ＵＳＩＤを含む上位レイヤ制御情報又は報知情報を取得してもよい。
【０１５３】
また、ＵＳＩＤ取得部２１１は、スモールセルＣ２の検出用信号（ディスカバリー信号）に関連づけられる第２ＵＳＩＤを取得してもよい。ここで、ユーザ端末２０は、間欠受信モード（例えば、Idle  modeやDRX  modeなど）や、active  modeなどにおいても、検出用信号を受信できる（例えば、図１７のケース１〜ケース４参照）。また、間欠受信モードのユーザ端末２０は、active  modeよりも長い周期で検出用信号を受信してもよい。
【０１５４】
また、ＵＳＩＤ取得部２１１は、マクロセルＣ２のセルＩＤに関連づけられる第２ＵＳＩＤを取得してもよい。マクロセルＣ１のセルＩＤは、マクロ基地局１１からの同期信号（ＰＳＳ、ＳＳＳ）に基づいて検出されてもよい。なお、スモールセルＣ２の検出用信号やマクロセルＣ１のセルＩＤに第２ＵＳＩＤが関連づけられる場合、第２ＵＳＩＤのシグナリングを省略できるので、シグナリング量の削減に有効である。
【０１５５】
また、ＵＳＩＤ取得部２１１は、スモールセルＣ２における送信モード及び／又はキャリアタイプなどによって、第１ＵＳＩＤと第２ＵＳＩＤとに基づいて構成されるＵＳＩＤを取得するか、あるいは、第２ＵＳＩＤを取得せずに第１ＵＳＩＤ（リリース１１のＵＳＩＤ）を取得するかを切り替えてもよい。
【０１５６】
下り信号受信処理部２１２は、ＵＳＩＤ取得部２１１で取得されたＵＳＩＤを用いて、下り信号の受信処理（例えば、デスクランブル、デマッピング、復調、復号化など）を行う。
【０１５７】
具体的には、下り信号受信処理部２１２は、ＵＳＩＤに基づいて疑似ランダム系列（スクランブル系列）を初期化し、初期化された疑似ランダム系列に基づいて下り信号の受信処理（デスクランブル）を行う（第１態様、図４のステップＳ１０３参照）。
【０１５８】
また、下り信号受信処理部２１２は、ホッピングパターンに従ってホッピングされた配置リソースにマッピングされた下り信号をデマッピングしてもよい。なお、ホッピングパターンは、マクロ基地局１１又はスモール基地局１２から、ＲＲＣシグナリングなどの上位レイヤシグナリングにより通知されてもよい。或いは、ホッピングパターンは、ＵＳＩＤ取得部２１１で取得されるＵＳＩＤに関連づけられてもよい。また、ホッピングパターンが関連づけられるＵＳＩＤは、第１ＵＳＩＤと第２ＵＳＩＤとで構成されるＵＳＩＤであってもよいし、第２ＵＳＩＤであってもよい。
【０１５９】
上り信号送信処理部２１３は、ＵＳＩＤ取得部２１１で取得されたＵＳＩＤを用いて、上り信号の送信処理（例えば、スクランブル、ホッピング、無線リソースへのマッピング、変調、符号化など）を行う。上り信号送信処理部２１３は、本発明の生成部（上り信号を生成）及びマッピング部（上り信号をリソースにマッピング）を構成する。
【０１６０】
具体的には、上り信号送信処理部２１３は、ＵＳＩＤに基づいて疑似ランダム系列（スクランブル系列）を初期化し、初期化された疑似ランダム系列に基づいて上り信号を生成（スクランブル）してもよい（第１態様、図４のステップＳ１０４参照）。
【０１６１】
無線通信システム１では、スモールセルＣ２において、第１ＵＳＩＤと第２ＵＳＩＤとに基づいて構成されるＵＳＩＤを用いて下り／上り信号が生成される。このため、隣接スモールセルＣ２に位置するユーザ端末２０間におけるＵＳＩＤの衝突を防止でき、スモールセルＣ２間の干渉を十分にランダム化できる。また、ホッピングパターンに従ってホッピングされる配置リソースに下り信号が配置されるので、スモールセルＣ２間の干渉のランダム化効果を向上させることができる。
【０１６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１６３】
１…無線通信システム、
１１…マクロ基地局
１２…スモール基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
１１１…ＰＣＩ送信処理部
１１２…ＵＳＩＤ送信処理部
１２１…ＵＳＩＤ取得部
１２２…下り信号送信処理部
１２３…上り信号受信処理部
２１１…ＵＳＩＤ取得部
２１２…下り信号受信処理部
２１３…上り信号送信処理部
【図１】
2014204306.tif 000009
【図２】
2014204306.tif 000010
【図３】
2014204306.tif 000011
【図４】
2014204306.tif 000012
【図５】
2014204306.tif 000013
【図６】
2014204306.tif 000014
【図７】
2014204306.tif 000015
【図８】
2014204306.tif 000016
【図９】
2014204306.tif 000017
【図１０】
2014204306.tif 000018
【図１１】
2014204306.tif 000019
【図１２】
2014204306.tif 000020
【図１３】
2014204306.tif 000021
【図１４】
2014204306.tif 000022
【図１５】
2014204306.tif 000023
【図１６】
2014204306.tif 000024
【図１７】
2014204306.tif 000025